(57)【要約】      （修正有）【課題】時間、日付、曜日、月及び年を指示可能な指針式万年カレンダー時計を提供する。【解決手段】指針式万年カレンダー時計は、日付盤１と、文字盤２と、曜日盤４と、月盤とを含み、文字盤２には日付針３が設けられ、曜日盤４が日付盤１と文字盤２との間に設けられる。日付盤１、曜日盤４及び月盤は、それぞれ中心の周りに３５個のセクタリングに等分割され、日付盤１には、日付配列と第１のウィンドウ５が設けられ、曜日盤４には、曜日配列と第２のウィンドウ１１が設けられ、月盤には、内輪と外輪が設けられ、外輪は、第１のウィンドウ５の真下に位置し、内輪は、第２のウィンドウ１１の真下に位置する。【選択図】図１
0003232957.tif 000002
【実用新案登録請求の範囲】
【請求項１】
フェムト日付盤（１）と、文字盤（２）と、曜日盤（４）と、月盤（６）とを含み、前記日付盤（１）と文字盤（２）が時計本体（９）に固定的に取り付けられ、前記文字盤（２）には日付針（３）が設けられ、前記曜日盤（４）が日付盤（１）と文字盤（２）との間に設けられ；
前記日付盤（１）、曜日盤（４）及び月盤（６）は、それぞれ中心の周りに３５個のセクタリングに等分割され、前記日付盤（１）には、日付配列と第１のウィンドウ（５）が設けられ、前記曜日盤（４）には、曜日配列と第２のウィンドウ（１１）が設けられ、前記月盤（６）には、外輪（７）と内輪（８）が設けられ、前記内輪（８）は、第１のウィンドウ（５）の真上に位置し、前記外輪（７）は、第２のウィンドウ（１１）の真下に位置する
ことを特徴とする指針式万年カレンダー時計。
【請求項２】
前記日付配列は、時計回りに１から３１まで順に隣接して分布する数字であり、前記日付配列における各数字は、１つのセクタリングを占め、前記第１のウィンドウ（５）は、数字１に隣接する第２のセクタリングに設けられる
ことを特徴とする請求項１に記載の指針式万年カレンダー時計。
【請求項３】
前記曜日配列は、具体的には、時計回りに分布する「月曜日〜日曜日」の５セットの配列であり、１つの「日曜日」のセクタリングが第２のウィンドウ（１１）として設定される
ことを特徴とする請求項１に記載の指針式万年カレンダー時計。
【請求項４】
前記外輪（８）には月配列が設けられ、前記月配列には「［１］、６、２、［２］、５、１、４、９、６、３、８、５、１０、７、１２、１１」が反時計回りに順に設けられ、配列「［１］」と、隣接する「６」との間に１つの空白のセクタリングが設けられ、「１２」と「１１」との間に１つの空白のセクタリングが設けられる
ことを特徴とする請求項１に記載の指針式万年カレンダー時計。
【請求項５】
前記内輪（７）には、年配列が設けられ、前記年配列には、順に、「２０２０、２０２６、２０３７、２０４３、２０４８、２０５４、２０１５」、「２０２５、２０３１、２０３６、２０４２、２０５３、２０５９」、「２０１９、２０２４、２０３０、２０４１、２０４７、２０５２、２０５８」、「２０１８、２０２９、２０３５、２０４０、２０４６、２０５７」、「２０２３、２０２８、２０３４、２０４５、２０５１、２０５６」、「２０２２、２０３３、２０３９、２０４４、２０５０、２０６１」、「２０２１、２０２７、２０３２、２０３８、２０４９、２０５５、２０６０」という年が付けられている７つのセクタリングが隣接して設けられる
ことを特徴とする請求項１に記載の指針式万年カレンダー時計。
【請求項６】
前記月配列は、年配列に正対する
ことを特徴とする請求項４に記載の指針式万年カレンダー時計。
【請求項７】
前記日付針（３）の文字盤（２）の上方に位置する部分が透明な材質であり、日付針（３）の文字盤（２）外に位置する部分が有色の非透明な材質である
ことを特徴とする請求項１に記載の指針式万年カレンダー時計。
【請求項８】
前記日付配列の、日付盤（１）の中心に近接する側に透明部分（１０）が設けられ、前記透明部分（１０）は、日付盤（１）と文字盤（２）とを接続する
ことを特徴とする請求項１に記載の指針式万年カレンダー時計。
【請求項９】
前記透明部分（１０）は、曜日盤（４）の真上に設けられる
ことを特徴とする請求項８に記載の指針式万年カレンダー時計。
【請求項１０】
前記年配列では、閏年である年は、赤色とマークされている
ことを特徴とする請求項５に記載の指針式万年カレンダー時計。
【考案の詳細な説明】
【技術分野】
【０００１】
本考案は、時間関連総合用品に関し、具体的には、全く新しい簡潔な指針式万年カレンダー時計に関する。
【背景技術】
【０００２】
従来の一般的な時計は、いずれも、日付、曜日及び計時機能のみがあり、年間カレンダー機能がなく、日付と曜日との対応関係を調べることができず、さらに長期間使用することもできない。万年カレンダー時計が一部あっても、その構造が非常に複雑で、製造が難しく、使用と調べが非常に面倒である。
【考案の概要】
【考案が解決しようとする課題】
【０００３】
従来技術における上記不足に対して、本考案は、時間、日付、曜日、月及び年を指示可能な指針式万年カレンダー時計を提供する。
【課題を解決するための手段】
【０００４】
上記目的を達成するために、本考案に係る技術的手段は以下のとおりである。
【０００５】
日付盤と、文字盤と、曜日盤と、月盤とを含み、日付盤と文字盤が時計本体に固定的に取り付けられ、文字盤には日付針が設けられ、曜日盤が日付盤と文字盤との間に設けられ；
日付盤、曜日盤及び月盤は、それぞれ中心の周りに３５個のセクタリングに等分割され、日付盤には、日付配列と第１のウィンドウが設けられ、曜日盤には、曜日配列と第２のウィンドウが設けられ、月盤には、内輪と外輪が設けられ、外輪は、第１のウィンドウの真下に位置し、内輪は、第２のウィンドウの真上に位置する。
【０００６】
さらに、日付配列は、時計回りに１から３１まで順に隣接して分布する数字であり、日付配列における各数字は、１つのセクタリングを占め、第１のウィンドウは、数字１に隣接する第２のセクタリングに設けられる。
【０００７】
さらに、曜日配列は、具体的には、時計回りに分布する「月曜日〜日曜日」の５セットの配列であり、１つの「日曜日」セクタリングが第２のウィンドウとして設定される。
【０００８】
さらに、外輪には月配列が設けられ、月配列には「［１］、６、２、［２］、５、１、４、９、６、３、８、５、１０、７、１２、１１」が反時計回りに順に設けられ、配列「［１］」と隣接する「６」との間に１つの空白のセクタリングが設けられ、「１２」と「１１」との間に１つの空白のセクタリングが設けられる。
【０００９】
さらに、内輪には、年配列が設けられ、年配列には、それぞれ、順に、「２０２０、２０２６、２０３７、２０４３、２０４８、２０５４、２０１５」、「２０２５、２０３１、２０３６、２０４２、２０５３、２０５９」、「２０１９、２０２４、２０３０、２０４１、２０４７、２０５２、２０５８」、「２０１８、２０２９、２０３５、２０４０、２０４６、２０５７」、「２０２３、２０２８、２０３４、２０４５、２０５１、２０５６」、「２０２２、２０３３、２０３９、２０４４、２０５０、２０６１」、「２０２１、２０２７、２０３２、２０３８、２０４９、２０５５、２０６０」という年が付けられている７つのセクタリングが隣接して設けられる。
【００１０】
さらに、月配列は、年配列に正対する。
【００１１】
さらに、日付針の文字盤の上方に位置する部分が透明な材質であり、日付針の文字盤外に位置する部分が有色の非透明な材質である。
【００１２】
さらに、日付配列の、日付盤の中心に近接する側に透明部分が設けられ、透明部分は、日付盤と文字盤とを接続する。
【００１３】
さらに、透明部分は、曜日盤の真上に設けられる。
【００１４】
さらに、年配列では、閏年である年は、赤色とマークされている。
【考案の効果】
【００１５】
本考案の有益な効果は以下のとおりである。年、月、日付及び曜日の周期的な規則に基づいて、指針式時計と有機的に結合し、回転盤の組み合わせ形式で全く新しい万年カレンダー時計を構成することができる。構造が非常に簡単で使用しやすく、年、月、日付、曜日の対応関係をいつでもどこでも調べる利便性をユーザに提供し、かつ長期的又は恒久的に使用できることにより、人々の生活のリズムと質を変化させ、作業効率を向上させる。
【図面の簡単な説明】
【００１６】
【図１】指針式万年カレンダー時計の構成を示す模式図
【図２】指針式万年カレンダー時計の月盤を示す模式図
【図３】実施例４の模式図
【図４】実施例３の模式図
【考案を実施するための形態】
【００１７】
以下、本考案の具体的な実施形態について説明して、当業者が本考案を理解することを容易にするが、本考案が具体的な実施形態の範囲に限定されず、当業者にとっては、様々な変化が添付の特許請求の範囲で限定及び決定される本考案の精神及び範囲内にあれば、これらの変化が明らかであることを理解すべきであり、本考案の概念を利用する発明創造はいずれもの保護の範囲内にある。
【００１８】
実施例１
図１及び２に示すように、該指針式万年カレンダー時計は、日付盤１と、文字盤２と、曜日盤４と、月盤６とを含み、日付盤１と文字盤２が時計本体９に固定的に取り付けられ、文字盤２には日付針３が設けられ、曜日盤４が日付盤１と文字盤２との間に設けられる。日付盤１、曜日盤４及び月盤６は、それぞれ中心の周りに３５個のセクタリングに等分割され、日付盤１には、日付配列と第１のウィンドウ５が設けられ、日付配列は、時計回りに１から３１まで順に隣接して分布する数字であり、日付配列における各数字は、１つのセクタリングを占め、第１のウィンドウ５は、数字１に隣接する第２のセクタリングに設けられる。
【００１９】
曜日盤４には、曜日配列及び第２のウィンドウ１１が設けられ、曜日配列は、具体的には、時計回りに分布する「月曜日〜日曜日」の５セットの配列であり、１つの「日曜日」のセクタリングが第２のウィンドウ１１として設定される。
【００２０】
月盤６には、内輪７と外輪８が設けられ、外輪８は、第１のウィンドウ５の真下に位置し、内輪７は、第２のウィンドウ１１の真上に位置する。外輪８には月配列が設けられ、月配列には「［１］、６、２、［２］、５、１、４、９、６、３、８、５、１０、７、１２、１１」が反時計回りに順に設けられ、配列「［１］」と隣接する「６」との間に１つの空白のセクタリングが設けられ、「１２」と「１１」との間に１つの空白のセクタリングが設けられる。配列「［１］」と「［１］」は、色で他の配列と区別することもできる。年配列では、閏年である年は、赤色とマークされている。
【００２１】
内輪７には、年配列が設けられ、年配列には、順に、「２０２０、２０２６、２０３７、２０４３、２０４８、２０５４、２０１５」、「２０２５、２０３１、２０３６、２０４２、２０５３、２０５９」、「２０１９、２０２４、２０３０、２０４１、２０４７、２０５２、２０５８」、「２０１８、２０２９、２０３５、２０４０、２０４６、２０５７」、「２０２３、２０２８、２０３４、２０４５、２０５１、２０５６」、「２０２２、２０３３、２０３９、２０４４、２０５０、２０６１」、「２０２１、２０２７、２０３２、２０３８、２０４９、２０５５、２０６０」という年が付けられている７つのセクタリングが隣接して設けられる。
【００２２】
月配列は、年配列に正対する。
【００２３】
使用時には、日付盤１と文字盤２とが動かないように保持し、月盤６を回転させて内輪７における現在の年に対応するセクタリングを第２のウィンドウ１１に表示させ、そして月盤６を曜日盤４と共に回転させることにより、外輪８における現在の月に対応するセクタリングを第１のウィンドウ５に表示させ、その後、日付針３が１日に１回ジャンプして日付盤１における当日の日付に指向するとともに、日付盤１に対応する曜日盤４のセクタリングに指向することにより、当日が何曜日であるかを同時に読み出すことができる。
【００２４】
その年が閏年である場合、月盤６を調整するとき、第１のウィンドウ５は、１月と２月を表示するときに「［１］」と「［２］」の配列を使用すべきである。
【００２５】
実施例２
本実施例では、日付針３の文字盤２の上方に位置する部分が透明な材質であり、日付針３の文字盤２外に位置する部分が有色の非透明な材質である。このように、日付針３を文字盤２の時針、分針、秒針と混同して時間の読み取りに干渉するのを回避することができる。
【００２６】
実施例３
図４に示すように、本実施例と実施例２との相違点は、日付針３が文字盤２の背部に設けられ、日付針３の文字盤２から離れた端が曜日盤４の上方に設けられることである。このような構造により、文字盤２の正面に時針、分針、秒針以外の指針を設ける必要がなく、時間を読み取るときの誤読を回避することができる。
【００２７】
実施例４
図３に示すように、本実施例と、実施例１及び実施例２との相違点は、日付配列の日付盤１の中心に近接する側に透明部分１０が設けられ、透明部分１０が日付盤１と文字盤２とを接続することである。透明部分１０は、曜日盤４の真上に設けられ、曜日盤４の読みに影響を与えずに曜日盤４を保護することができる。また、曜日盤４が透明部分１０と文字盤２の下方に位置するため、曜日盤４をより簡単な機械構造で回転させることができる。
【００２８】
実施例５
本実施例では、第２のウィンドウ１１は電子ディスプレイであり、年を自動的に表示する。
【符号の説明】
【００２９】
１、日付盤２、文字盤３、日付針４、曜日盤５、第１のウィンドウ６、月盤７、内輪８、外輪９、時計本体１０、透明部分１１、第２のウィンドウ
【図１】
0003232957.tif 000003
【図２】
0003232957.tif 000004
【図３】
0003232957.tif 000005
【図４】
0003232957.tif 000006
【手続補正書】
【提出日】令和3年3月2日(2021.3.2)
【手続補正１】
【補正対象書類名】実用新案登録請求の範囲
【補正対象項目名】請求項１
【補正方法】変更
【補正の内容】
【請求項１】
フェムト日付盤（１）と、文字盤（２）と、曜日盤（４）と、月盤（６）とを含み、前記日付盤（１）と文字盤（２）が時計本体（９）に固定的に取り付けられ、前記文字盤（２）には日付針（３）が設けられ、前記曜日盤（４）が日付盤（１）と文字盤（２）との間に設けられ；
前記日付盤（１）、曜日盤（４）及び月盤（６）は、それぞれ中心の周りに３５個のセクタリングに等分割され、前記日付盤（１）には、日付配列と第１のウィンドウ（５）が設けられ、前記曜日盤（４）には、曜日配列と第２のウィンドウ（１１）が設けられ、前記月盤（６）には、外輪（８）と内輪（７）が設けられ、前記外輪（８）は、第１のウィンドウ（５）の真下に位置し、前記内輪（７）は、第２のウィンドウ（１１）の真下に位置する
ことを特徴とする指針式万年カレンダー時計。
【手続補正２】
【補正対象書類名】図面
【補正対象項目名】図２
【補正方法】変更
【補正の内容】
【図２】
0003232957.tif 000007